(57)【要約】本発明は製品における生産動作を実行するための生産モジュール（４１２，４１３，４２１，４２２）、生産計画装置および製品の生産計画方法に関する。複数の生産モジュールは互いに結合され、その際各生産モジュールにおいて自己記述情報（１３０，２３０，３３０）が生産モジュールの特性を有するデータベース、たとえばＮｏＳＱＬ、ＯＷＬ、オントロジー、ＳＰＡＲＱＬとして記憶される。製品の生産に必要な生産工程を含む生産情報が存在すると生産情報および自己記述情報またはその一部は製品の生産の計画のための生産計画装置に伝送され、被加工製品のための生産計画（４６０）が確定され、その際生産計画は、製品が中間または最終製品の生産のために走行すべき生産システムの生産モジュールの順序に関する情報を有する。【選択図】図３
2017535875.tif 000002
【特許請求の範囲】
【請求項１】
第２の生産モジュール（１１０，２１０，３１０，４１２，４１３，４２１，４２２，４２３，４３１，４３２，６１０，７１０）に結合するように形成および設定され、第２の生産モジュールが製品に第２の生産動作を実行するために形成および設定された製品に生産動作を実行するための生産モジュール（１１０，２１０，３１０，４１２，４１３，４２１，４２２，４２３，４３１，４３２，６１０，７１０）であって、
記憶装置（１２０，２２０，３２０）に生産モジュールの特性に関する自己記述情報（１３０，１４０，１６０，１７０，２３０，２４０，２６０，２７０，３３０，３４０，３６０，３７０，６２０，７２０）が記憶され、
自己記述情報または自己記述情報の一部を別の装置に伝送するように形成および設定され、および
前記自己記述情報がＮｏＳＱＬデータベースまたは非リレーショナルデータベースとして記憶されるかまたは記憶可能であり、
特に前記自己記述情報がＯＷＬまたはＲＤＦデータベースとしておよび／またはＳＰＡＲＱＬを応答言語として使用するデータベースとして記憶されるかまたは記憶可能である
ことを特徴とする生産モジュール。
【請求項２】
前記自己記述情報（１３０，１４０，１６０，１７０，２３０，２４０，２６０，２７０，３３０，３４０，３６０，３７０，６２０，７２０）が、
・生産動作に関するサービス情報（１４０，１４１，１４２，１４３，１４４，１４５，１４６，２４０，３４０）、
・状況および／または形態に関するコンフィギュレーション情報（１３０，１３１，１３２，１３３，２３０，３３０）、
・使用可能な機能およびサービスに関するとともに生産動作に関する情報を有する能力情報（１４０，１４１，１４２，１４３，１４４，１４５，１４６，２４０，３４０）、
・実行可能な命令および調整可能なパラメータに関する命令情報（１６０，１６１，１６２，２６０，３６０）、および／または
・作業状態に関する状態情報（１７０，１７１，１７２，２７０，３７０）
を含むことを特徴とする請求項１記載の生産モジュール。
【請求項３】
結合可能なまたは結合された前記第２の生産モジュールが、前記第２の生産モジュールの特性に関する第２の自己記述情報（１３０，１４０，１６０，１７０，２３０，２４０，２６０，２７０，３３０，３４０，３６０，３７０，６２０，７２０）を含み、および
前記自己記述情報または前記自己記述情報の一部を前記第２の生産モジュールに伝送するように、および前記第２の生産モジュールから第２の自己記述情報または自己記述情報の一部を受領するように形成および設定されている
ことを特徴とする請求項１または２記載の生産モジュール。
【請求項４】
前記自己記述情報が前記第２の生産モジュールとの結合に関するポート情報（１５０，１５１，１５２，１５３，１５４，２５０，３５０）を含むことを特徴とする請求項１から３の１つに記載の生産モジュール。
【請求項５】
前記第２の生産モジュールとの結合に関する前記ポート情報が、前記第２の生産モジュールに直接的におよび／または間接的に接続された別の生産モジュール（１１０，２１０，３１０，４１２，４１３，４２１，４２２，４２３，４３１，４３２，６１０，７１０）の特性、特に前記第２の生産モジュールに直接的におよび／または間接的に接続された生産モジュールに関する情報を含むことを特徴とする請求項４記載の生産モジュール。
【請求項６】
被加工製品に所属する製品データ加工装置と通信するようにおよび中間または最終製品の生産に関する生産情報を受領するように形成および設定されていることを特徴とする請求項１から５の１つに記載の生産モジュール。
【請求項７】
モジュール計画情報（４４１，４４４，４４６）を記憶するように形成および設定されており、特にさらに前記モジュール計画情報に関する情報を発信するように形成および設定されていることを特徴とする請求項１から６の１つに記載の生産モジュール。
【請求項８】
前記請求項１から７の１つの記載により互いに結合された複数の生産モジュール（１１０，２１０，３１０，４１２，４１３，４２１，４２２，４２３，４３１，４３２，６１０，７１０）を含み、前記請求項の１つの記載により形成および設定されている、中間または最終製品を生産するための生産システム（１００，４００）。
【請求項９】
複数の生産モジュール（１１０，２１０，３１０，４１２，４１３，４２１，４２２，４２３，４３１，４３２，６１０，７１０）を含み、前記複数の生産モジュールのそれぞれがそれぞれ前記複数の生産モジュールの少なくとも１つの別の生産モジュール（１１０，２１０，３１０，４１２，４１３，４２１，４２２，４２３，４３１，４３２，６１０，７１０）に結合するように形成および設定され、
それぞれ各生産モジュールの記憶装置（１２０，２２０，３２０）に当該生産モジュールの特性に関する自己記述情報（１３０，１４０，１６０，１７０，２３０，２４０，２６０，２７０，３３０，３４０，３６０，３７０，６２０，７２０）が記憶されており、および
各生産モジュールがそれぞれの自己記述情報またはそれぞれの自己記述情報の一部を別の装置に伝送するように形成および設定されている
中間または最終製品を生産するための生産システムにおいて、
前記複数の生産モジュール（１１０，２１０，３１０，４１２，４１３，４２１，４２２，４２３，４３１，４３２，６１０，７１０）の少なくとも個々の生産モジュールが請求項１から７の１つに記載により互いに結合されており、
概念変換モジュール（５００）を含み、この概念変換モジュール（５００）が中間または最終製品の生産に関する生産情報のエレメントおよびこれらの生産モジュールの自己記述情報（１３０，１４０，１６０，１７０，２３０，２４０，２６０，２７０，３３０，３４０，３６０，３７０，６２０，７２０）のエレメントを割り当てるように設定および形成されている
ことを特徴とする中間または最終製品を生産するための生産システム。
【請求項１０】
請求項８または９に記載の生産システムを備え中間または最終製品の生産を計画するための生産計画装置であって、生産情報を記憶するように設計および形成されており、この生産情報が中間または最終製品の生産に必要な生産工程を含む生産計画装置において、
前記生産システムの複数の生産モジュール（１１０，２１０，３１０，４１２，４１３，４２１，４２２，４２３，４３１，４３２，６１０，７１０）の選択の自己記述情報（１３０，１４０，１６０，１７０，２３０，２４０，２６０，２７０，３３０，３４０，３６０，３７０，６２０，７２０）の少なくとも一部を受領および／または記憶するように形成および設定されており、
被加工製品の生産計画（４６０）を確定するように設定および形成され、前記生産計画（４６０）が、中間または最終製品の生産のために製品が走行すべきまたは走行する生産システムの複数の生産モジュールの順序に関する情報を含む
ことを特徴とする生産計画装置。
【請求項１１】
さらに概念変換モジュール（５００）へのアクセスを有し、前記概念変換モジュールが中間または最終製品の生産に関する生産情報のエレメントおよび複数の生産モジュールの自己記述情報のエレメントを割り当てるように設定および形成されていることを特徴とする請求項１０記載の生産計画装置。
【請求項１２】
前記概念変換モジュール（５００）が、中間または最終製品の生産に関する生産情報のエレメントおよび複数の生産モジュールの自己記述情報のエレメントを含むデータベース（５７０）を含み、これらのエレメントがそれぞれ関連する情報および／または別のエレメントに関連する情報を有することを特徴とする請求項１１記載の生産計画装置。
【請求項１３】
請求項８または９に記載の生産システムで中間または最終製品の生産を設定および／または制御するための生産制御装置（４５０）であって、被加工製品に対する生産計画（４６０）を記憶するように形成および設定されており、前記生産計画（４６０）が、中間または最終製品の生産のために製品が走行すべきまたは走行する生産システムの複数の生産モジュールの順序に関する情報を有している生産制御装置において、
複数の生産モジュールの順序の生産モジュール（１１０，２１０，３１０，４１２，４１３，４２１，４２２，４２３，４３１，４３２，６１０，７１０）の少なくとも１つの選択と通信するように形成および設定されており、さらに複数の生産モジュールによる製品の加工もしくは製品モジュールの選択が行われる前記生産計画（４６０）を確定するように形成および設定されていることを特徴とする生産制御装置。
【請求項１４】
請求項１０から１２の１つに記載の生産計画装置および／または請求項１３に記載の生産制御装置（４５０）を含むことを特徴とする請求項１から７の１つに記載の生産モジュール。
【請求項１５】
請求項１０から１２の１つに記載の生産計画装置の少なくとも１つおよび／または請求項１３に記載の生産制御装置（４５０）の少なくとも１つを含むことを特徴とする請求項８または９記載の生産システム。
【請求項１６】
・中間または最終製品を生産するために必要な生産工程を含む生産情報が存在し、
・中間または最終製品の生産の計画のための生産計画装置が設けられ、および
・生産計画装置が生産システム（１００，４００）の複数の生産モジュール（１１０，２１０，３１０，４１２，４１３，４２１，４２２，４２３，４３１，４３２，６１０，７１０）の自己記述情報（１３０，１４０，１６０，１７０，２３０，２４０，２６０，２７０，３３０，３４０，３６０，３７０，６２０，７２０）へのアクセスを有する請求項８、９または１５の１つに記載の生産システム（１００，４００）による中間または最終製品の生産の計画方法において、
・中間または最終製品の生産に関する生産情報を前記生産計画装置に伝送する工程、
・前記生産システムの複数の生産モジュールの選択の自己記述情報の少なくとも一部を前記生産計画装置に伝送する工程、
・被加工製品のための生産計画（４６０）を確定する工程であって、この生産計画が、製品が中間または最終製品の生産のために走行すべきまたは走行する前記生産システムの生産モジュールの順序に関する情報を含む工程、
を含むことを特徴とする計画方法。
【請求項１７】
さらに前記生産計画（４６０）の確定中にまたは確定に続いて、複数の生産モジュールによる製品の加工もしくは生産モジュールの選択が行われる時間的経過が確定されることを特徴とする請求項１６記載の方法。
【請求項１８】
確定された前記生産計画（４６０）がさらに各生産モジュールにおいてそれぞれ実行すべき１つまたは複数の生産動作に関する情報を含むことを特徴とする請求項１６または１７記載の方法。
【請求項１９】
前記生産計画システムが前記生産計画（４６０）の確定前または確定中に請求項１１または１２記載の概念変換モジュール（５００）にアクセスすることを特徴とする請求項１６から１８の１つに記載の方法。
【発明の詳細な説明】
【技術分野】
【０００１】
本発明は、製品に生産動作を実行するための生産モジュールに関し、この生産モジュールは製品に第２の生産動作を実行するように形成および設定されている第２の生産モジュールに結合するように形成および設定されている。
【背景技術】
【０００２】
この種の生産モジュールは従来技術から知られている。たとえば、特許文献１はロボットおよび他のいわゆるサイバー・フィジカル・システム(ＣＰＳ)を開発するためのシステムを開示している。このシステムはアクチュエータやセンサおよび他のモジュールの操作を可能にするプラットフォームを含む。ロボット工学で知られている一定の課題のために使用可能な種々のモジュールが開示されている。これは、たとえばモータの駆動またはセンサの読み取りもしくは制御であり得る。これらのモジュールは互いにおよび他の装置、たとえばコンピュータやユーザにより設定されたモジュールと統一的な通信プロトコルを介して通信を行う。
【０００３】
従来技術の欠点は、この種のシステムの構築および設定が極めて複雑であり得るか、および／またはこの種の生産システムの設営および設定に際してユーザとのかなり多くの共同作業が必要であることにある。
【先行技術文献】
【特許文献】
【０００４】
【特許文献１】米国特許出願公開第２０１１/０２２４８２８Ａ１号明細書
【発明の概要】
【発明が解決しようとする課題】
【０００５】
従って本発明の課題は、モジュール型生産システムの構築、設定および／または稼働を簡略化することにある。
【課題を解決するための手段】
【０００６】
この課題は本願の請求項１の特徴を有する生産モジュールにより解決される。
【０００７】
この種の生産モジュールは製品に生産動作を実行するように並びに第２の生産モジュールと結合するように形成および設定されている。この場合、第２の生産モジュールはさらに製品に第２の生産動作を実行するように形成および設定されている。生産モジュールは、生産モジュールの特性に関する自己記述情報が記憶されている記憶装置を含む。生産モジュールは代替的に、記憶装置に生産モジュールの特性に関する自己記述情報を記憶するように形成および設定することもできる。生産モジュールはさらに自己記述情報または自己記述情報の一部を別の装置に伝送するように形成および設定されている。自己記述情報は、この場合いわゆるＮｏＳＱＬデータベースまたは非リレーショナルデータベースとして記憶されるか記憶可能である。代替的に、生産モジュールは自己記述情報を記憶するためにＮｏＳＱＬデータベースまたは非リレーショナルデータベースとして形成および設定することもできる。特に、自己記述的情報はＯＷＬまたはＲＤＦデータベースおよび／または応答言語としてＳＰＡＲＱＬを使用するデータベースとして、記憶されるかまたは記憶可能にすることができる。生産モジュールは、代替的に上述のフォーマットに自己記述情報を記憶するように形成および設定することもできる。
【０００８】
ＮｏＳＱＬデータベース技術の使用またはいわゆる非リレーショナルデータベースの使用により、概念およびデータの極めて複雑なチェーン化を比較的簡単にすることが可能である。上述の生産モジュールを備えた生産システムの設定に当たり、たとえば製品の生産要件を生産モジュールの能力および特性に一致させる必要があるので、この種の生産システムの設定及び形成はＮｏＳＱＬデータベースもしくは非リレーショナルデータベースの使用を介して、この種のなかんずく極めて複雑な論理的概念チェーンをより簡単にできるということを容易化する。たとえば、製品に対する生産プロセスまたは方法に関する概念および／またはデータをたとえば生産モジュールの生産動作またはその他のサービス、特性、パラメータなどに関する自己記述情報に記憶されている情報と結合させることは、このようにして比較的簡単に実現可能である。その結果、このような生産モジュールからなる生産システムはこのようなＮｏＳＱＬデータベースまたは非リレーショナルデータベースの使用のもとに簡略化される。この場合、簡略化とはたとえば、ユーザの関与を少なくできるか、またはユーザにとってたとえばインテリジェントな提案によりこの種の生産システムの構築もしくは設定が容易化できることから生じ得る。
【０００９】
生産モジュールは種々の機械的、電気機械的または電子的装置とすることができ、これらは物品、加工品、液体または同様の製品、デバイスまたは材料の取り扱い、移動、処理および／または加工するために設定および形成されているものである。生産モジュールは、たとえば工具モジュール、工作機（たとえばフライス、穿孔、打ち抜き、プレスなど）または同様の器具、機器または機械またはこれらの部品であり得る。さらに生産モジュールは、少なくともなかんずく製品、デバイスまたは材料を輸送するために、たとえば搬送ベルト、クレーン、ロボットアーム、ポンプなどとして形成および設定することもできる。さらに生産モジュールは、相応する製品を貯蔵または供給するために形成および設定することもできる（たとえば、棚システム、タンクなど）。製品モジュールは、またたとえば加工品、デバイスおよび／または固体、液体または気体状の材料の加熱またはその他の加工用に、たとえば炉、ボイラ、バルブ、撹拌機、などとして形成および設定することもできる。
【００１０】
生産モジュール自体は同様に複数の部品、デバイスおよび／またはサブモジュールから形成することができ、および／またはたとえば１つまたは複数の機械的および／または電子的サブユニットを有することができる。
【００１１】
生産モジュールは、たとえば生産動作および／または本明細書において生産モジュールに関して記述した方法、行程および確定を制御するための制御ユニットまたはコントローラとして形成および設定することができる。さらに生産モジュールは、１つまたは複数の通信・インターフェース並びにデータおよび／または情報を記憶するための１つまたは複数の記憶装置を含むことができる。生産動作の実行のため生産モジュールは、その上に相応する機械的、電気的、電子的および／または電気機械的または光学的コンポーネントを含むことができる。
【００１２】
特に生産モジュールは、いわゆる「サイバー・フィジカル・システム」（ＣＰＳ）としてまたはその一部として形成および設定することができる。たとえば生産モジュールは、いわゆる「サイバー・フィジカル・モジュール」（ＣＰＭ）としてまたは「サイバー・フィジカル・プロダクション・モジュール」（ＣＰＰＭ）として形成および設定することができる。
【００１３】
製品は、たとえば機械的、光学的、電気機械的、電子的または同様の製品もしくはデバイスとして形成および設定するか、もしくはこのような製品もしくはデバイスを含むことができる。さらに製品は、たとえば加工品、デバイス、固体、液体または気体状の材料、固体、液体または気体状の化学製品または類似品として形成することもできる。製品は、たとえば各種の中間製品または一定の生産行程の最終製品とすることもできる。最終製品は、たとえば市販されている全ての種類の製品、たとえばマイクロチップ、コンピュータ、カメラ、自動車、化学製品、素材など、もしくはこの種の製品のための各種の中間製品でもあり得る。
【００１４】
本明細書の範囲内では「製品」という概念は、生産または加工という範囲内で著しく変化する物品の抽象的記述として使用される。本明細書における「製品」は、生産プロセスの過程で、たとえば生産動作の作用により、その外的または内的現象または形態において著しく変化し得るものである。
【００１５】
生産動作とは、本明細書の範囲内では一般に、物品、材料または素材の生産、生産、処理、取り扱いまたは加工の範囲内で、実行されるもしくは実行することのできる各行程のことを言う。生産動作は、この場合たとえば出発物質から完成最終製品までの任意の製品に関する各種の可能な作業工程であり得る。
【００１６】
たとえば生産動作は、各種の材料加工（たとえば、フライス、穿孔、研磨、プレス、塗装、注型、ポンピング、加熱、移動、開放、閉鎖など）、物品、デバイス、材料または素材の各種の輸送または移動または取り扱いまたはこの種の行程を含み得る。さらに生産動作は、たとえば貯蔵、診断、検査、光学的撮影、測量、形、長さまたは大きさの測定またはこれらに匹敵する機能性であるか、もしくはこの種の機能性を含むことができる。
【００１７】
生産モジュールと第２の生産モジュールとの結合は、生産モジュールの生産動作と第２の生産モジュールの第２の生産動作とが共同作用し得るもしくは共同作用するように形成および設定することができる。生産動作のこの種の共同作用は、たとえば１つの製品の共通加工、１つの製品の加工および輸送または１つの輸送ユニットから別の輸送ユニットへの製品の引き渡しであり得る。２つの生産モジュールは、このためたとえば適当なジオメトリック的配置にあってたとえば電子的に結合されて、生産動作の共同作用が可能とされるかもしくは実行されるまたは実行可能とされるようにすることができる。
【００１８】
生産モジュールと第２の生産モジュールとの結合は、たとえば相応する有線または無線の通信インターフェース（たとえばイサーネット、プロフィネット、プロフィバス、フィールドバス、ＷＬＡＮ、ブルートゥース（登録商標）、ＮＦＣなど）を介する通信接続として形成および設定し得るもしくはこの種の通信接続を含み得る。
【００１９】
さらにこれらの生産モジュールの結合はまた、たとえば相応する接続部品を介する機械的結合を含み得る。この種の機械的結合のため１つの生産モジュールは、たとえば相応する接続部品、センサおよび／またはアクチュエータを有するかもしくは含むことができる。
【００２０】
第２の生産モジュールは、たとえば本明細書で記述された生産モジュールもしくは第１の生産モジュールに相応して形成および設定することができる。さらに、これらの生産モジュールはそれぞれ、同様に本明細書に記載の生産モジュールもしくは第１の生産モジュールに相応してそれぞれ形成および設定し得る別の生産モジュールと結合し得る。この場合、それぞれ別の生産モジュールとの結合は本明細書に詳述されているように形成および設定し得る。
【００２１】
生産モジュールの特性に関する自己記述情報は、たとえば生産モジュールの生産動作に関する種々の情報を含み得る。特にこれはたとえば、生産動作において実現されている１つもしくは複数の機能性の識別子もしくはキャラクターを含み得る。さらにこの情報は、加工または処理可能な材料もしくは物品に関する情報、寸法、形状、重量または同様の基準値または前提条件に関する情報、製品モジュールの１つまたは複数の加工範囲に関する情報、品質基準、結果に関する情報および／または生産動作もしくは相応する作業結果に関する前提条件または生産動作に関する同様の情報を含み得る。
【００２２】
自己記述情報は、その上に製品モジュールのその他の特性、たとえば大きさ、ジオメトリ、状況、同定識別子、構成、コンフィギュレーション、使用可能なサービスおよび機能性、接続機器、モジュールおよび／またはデバイス、使用可能な制御その他のコマンド並びに使用可能な通信インターフェース、相応する通信パラメータ（ＭＡＣアドレスなど）および／または生産モジュールに関する状態情報を含み得る。
【００２３】
第２の生産モジュールの特性に関する並びに本明細書で述べた他の生産モジュールに関する自己記述情報は、上述のようにして形成および設定し得る。
【００２４】
生産モジュール間の自己記述情報の伝送は、たとえば有線および／または無線の通信として行われるかもしくは形成および設定し得る。この種の伝送は、たとえばイサーネット、フィールドバス、ＷＬＡＮ、ブルートゥース（登録商標）、ＮＦＣ、光学的または同様なものを介して行うことができるかもしくは形成および設定し得る。第１と第２の生産モジュールの結合に際しては、たとえば第２の生産モジュールの第２の自己記述情報が前記生産モジュールに送られるようにして行うことができる。さらに、また前記生産モジュールの自己記述情報は第２の生産モジュールに送ることができる。また、前記生産モジュールと第２の生産モジュール間の自己記述情報の交換も行うことができる。
【００２５】
前記生産モジュールの自己記述情報が伝送可能または伝送される別の装置は、前記生産モジュールと通信するように並びに前記生産モジュールから自己記述情報を受領するように形成および設定されている各電子装置であり得る。この種の装置は、たとえば本明細書に記載の生産モジュールとして、いわゆる「サイバー・フィジカル・プロダクション・モジュール」（ＣＰＰＭ）、コンピュータ、サーバー、コントローラ、記憶装置のプログラム可能な制御装置、自動化装置または自動化モジュールなどとして形成および設定し得る。
【００２６】
データベースとは、本明細書の範囲内ではあらかじめ規定されて管理され構造化されたデータの各種の集合体を意味する。この場合データの管理方法は、たとえばドキュメント、グラフ、オブジェクト、アトリビュート・バリュー・ペアおよび／または列指向とするかまたはリレーショナルデータモデルにより行うこともできる。
【００２７】
この場合非リレーショナルデータベースとは、管理用にリレーショナルデータモデル以外のものを使用するものと解される。
【００２８】
現行のリレーショナルデータベース（たとえばＳＱＬデータベース）とは異なり「ＮｏＳＱＬ」（英語：Not only SQL）データベースは非リレーショナルアプローチである。ＮｏＳＱＬデータベースとは本明細書および請求項との関連では、上述の非リレーショナルアプローチを取るデータベースと解される。特にＮｏＳＱＬデータベースとは、本明細書および請求項の範囲内ではドキュメント、グラフ、オブジェクト、アトリビュート・バリュー・ペアおよび／または列指向のデータベースと解される。このようなＮｏＳＱＬデータ記憶装置は、通常は固定されたテーブルスキーマを必要とせず、いわゆる「ジョイント」を避けようとするものである。
【００２９】
実際のＮｏＳＱＬデータベースは、通常はたとえばリレーショナルカウンターパート有する固定テーブルスキーマを持たない。スキーマレスデータベースとしてこのデータベースは、データがどのように記憶されるかを確定するためによりフレキシブルな技術に置かれている。代替的に記憶装置モードは、アプリケーションに任せることもできる。ＮｏＳＱＬの名前はクライエントとの通信のためＳＱＬプロトコル以外のプロトコルを使用することに帰せられる。
【００３０】
本明細書との関連でのＮｏＳＱＬデータベースは、たとえばドキュメント指向型データベース、グラフ指向型データベース、分配ＡＣＩＤデータベース、キー・バリューデータベース、アトリビュート・バリュー・ペア指向型データベース、マルチバリューデータベース、オブジェクト指向型データベースおよび／または列指向型データベースまたはこれらのデータベースを結合したものまたは更に発展させたものとして設定および形成し得る。
【００３１】
ＯＷＬデータベースとはいわゆる「ウェブ・オントロジー言語」を使用するデータベースを意味し、いわゆる「ワールド・ワイド・ウェブ」コンソーシアム（Ｗ３Ｃ）により標準化されたものである。
【００３２】
ＲＤＦデータベースとは同様に「ワールド・ワイド・ウェブ」コンソーシアム（Ｗ３Ｃ）により標準化された「リソース・ディスクリプション・フレームワーク」を利用するデータベースの意味である。
【００３３】
応答言語ＳＰＡＲＱＬは「リソース・ディスクリプション・フレームワーク」（ＲＤＦ）に対するグラフベース型応答言語である。この名前は「SPARQL Protocol and RDF Query Language」の頭文字である。ＳＰＡＲＱＬは「ワールド・ワイド・ウェブ」コンソーシアム（Ｗ３Ｃ）により２００８年初めて推薦すべきもととして広められた。
【００３４】
さらに生産モジュールは、自己記述情報の記憶のためにＮｏＳＱＬデータベース、非リレーショナルデータベース、ＯＷＬデータベース、ＲＤＦデータベースおよび／またはＳＰＡＲＱＬを応答言語として使用するデータベースとして形成および設定し得る。
【００３５】
有利な実行形態では自己記述情報はたとえば、
・生産動作に関するサービス情報、
・生産モジュールの状況および／または形態に関するコンフィギュレーション情報、
・生産動作に関する情報を含む生産モジュールの使用可能な機能およびサービスに関する能力情報、
・生産モジュールによって実行可能な命令および可調整パラメータに関する命令情報、および／または
・生産モジュールの作業状態に関する状態情報
を含む。
【００３６】
さらに本明細書の記載により、生産モジュールに記憶された自己記述情報は生産モジュールの状況および／または形態に関するコンフィギュレーション情報を含むことができる。
【００３７】
自己記述情報は、また生産モジュールの使用可能な機能およびサービスに関する能力情報を含むことができ、この情報はたとえば生産動作に関する情報を含むことができる。
【００３８】
さらに自己記述情報は、また生産モジュールによって実行可能なまたは理解可能な命令並びに調整可能なまたは調整されたパラメータに関する命令情報を含むことができる。
【００３９】
その上に自己記述情報は、作業状態に関する状態情報を含むこともできる。この場合作業状態は、たとえば実際の稼働状態（完全に機能的に活性、部分的に機能的に活性、不活性、非常時運転など）または発生した事故および警告などに関する情報も含むことができる。状態情報は、さらに生産モジュール内またはこれに存在する製品に関する情報（たとえば、相応する製品ＩＤ、実際の加工状態、生産モジュール内の実際の位置など）を含むことができる。
【００４０】
生産モジュールのコンフィギュレーション情報は、たとえば、生産モジュールの機能的形態および／またはジオメトリック的形態を含むことができる。さらに生産モジュールのコンフィギュレーション情報は、使用可能なおよび／または入手可能な空間的作業範囲または物理的およびその他の環境（たとえば、隣接するモジュール、機械、安全範囲など）を含むこともできる。
【００４１】
生産モジュールに結合可能なまたは結合された第２の生産モジュールは、第２の生産モジュールの特性に関する第２の自己記述情報を含むことができ、その際前記生産モジュールはさらに自己記述情報またはその一部を第２の生産モジュールに伝送するように、および第２の自己記述情報または第２の自己記述情報の一部を第２の生産モジュールから受領するように、形成および設定し得る。
【００４２】
この場合第２の生産モジュール内の第２の自己記述情報は、たとえば同様にＮｏＳＱＬデータベース、非リレーショナルデータベース、ＯＷＬデータベース、ＲＤＦデータベースおよび／またはＳＰＡＲＱＬを応答言語として使用するデータベースとして記憶または記憶可能にされることができる。代替的に第２の生産モジュールは、また第２の自己記述情報を記憶するようにＮｏＳＱＬデータベース、非リレーショナルデータベース、ＯＷＬデータベース、ＲＤＦデータベース、および／またはＳＰＡＲＱＬを応答言語として使用するデータベースとして、形成および設定し得る。
【００４３】
第２の生産モジュールの特性に関する自己記述情報の内容は、たとえば前記生産モジュールの特性に関する自己記述情報に相応して形成および設定し得る。自己記述情報もしくは第２の自己記述情報の第１および第２の生産モジュール間の伝送は、たとえば有線および／または無線の通信としてたとえばイサーネット、フィールドバス、ＷＬＡＮ、ブルートゥース（登録商標）、ＮＦＣ、光学的または同様なものを介して行うことができる。
【００４４】
前記生産モジュールの自己記述情報は、さらに第２の生産モジュールとの結合に関するポート情報を含むことができる。
【００４５】
従って、この種の生産モジュールを使用する生産システムの構築及び設定もしくは稼働も、１つの生産モジュール内に隣接する生産モジュールとの結合に関する情報が既に存在し、従ってたとえば第２またはその他の生産モジュールの特性が既に作業時にまたは相応する計画時に生産モジュールによって比較的容易に入手されることにより、簡略化される。
【００４６】
第２の生産モジュールとの結合に関するポート情報は、たとえば第２の生産モジュールの第２の生産動作または第２の生産モジュールのその他の生産動作および／またはサービスに関する情報を含むことができる。さらに第２の生産モジュールとの結合に関するポート情報は、第２の生産モジュールの第２の自己記述情報の一部または全部、または第２の生産モジュールの第２の自己記述情報の一部または全部から確定された情報も含むことができる。
【００４７】
さらに第２の生産モジュールとの結合に関するポート情報は、前記生産モジュールと第２の生産モジュールとの空間的交互作用範囲に関する情報を含むことができる。この場合、空間的交互作用範囲は、たとえばこの空間的交互作用範囲内に製品がある場合に、前記生産モジュールの生産動作並びに第２の生産モジュールの第２の生産動作が製品に作用できるような空間範囲として設けるおよび形成することができる。
【００４８】
たとえば２つのモジュールが１つの輸送機能性を有する場合には、交互作用範囲はたとえば、たとえば１つの輸送媒体から別の輸送媒体への引き渡しを行うことができるまたは行われる範囲とすることができる。両モジュールが、たとえば１つの加工機能性を備えている場合には、交互作用範囲はたとえば、一方並びに他方の加工機能性が製品に作用できるような範囲とすることができる。一方のモジュールがたとえば加工機能性を有し、第２のモジュールがたとえば輸送機能性を有する場合には、交互作用範囲はたとえば、輸送モジュールが製品をこれが他方のモジュールによって加工できるようにまたは加工されるように位置決めしなければならないまたは位置決めできる範囲とすることができる。
【００４９】
第２の生産モジュールとの結合に関するポート情報の確定および／または記憶は、たとえばユーザにより惹起することができる。さらにポート情報は、第２の生産モジュールと結合されているとき自動的に確定および／または記憶することもできる。さらに第２の生産モジュールとの結合に関するポート情報の記憶は、たとえば第２の生産モジュールの状態または特性の変化が起こったときおよび第２の生産モジュールが前記生産モジュールに実際に起こった状態または特性情報を伝えるときにも行うことができる。
【００５０】
前記生産モジュールは、本明細書に記載されているように別の生産モジュールとの結合が行われたときまたは行われるときには、この別の生産モジュールとの結合に関する別のポート情報もさらに含むことができる。たとえば本明細書に記載のように、ポート情報は前記生産モジュールと直接結合される各生産モジュールに対して設けるかまたは記憶させることができる。
【００５１】
第２の生産モジュールとの結合に関するポート情報は、さらに第２の生産モジュールに直接的および／または間接的に接続される別の生産モジュールの特性に関する情報を含むことができる。特に第２の生産モジュールとの結合に関するポート情報は、第２の生産モジュールと直接的におよび／または間接的に接続された機能モジュールの生産動作に関する情報を含むことができる。
【００５２】
これは、前記生産モジュールにはモジュールのどのような機能性が一定の別のモジュールとの一定の結合を介して達成可能であるかについての情報が既にあるので、このような生産モジュールを含む生産システムの構築、設定および／または稼働を簡略化する。このようにしてたとえばユーザにとってはこのような生産システムの設定および稼働も、たとえばユーザによる作業工程がより簡単になるか殆どまたは全く不必要になるので、簡略化できる。またこのようなシステムの構築もユーザにとってはこのようにして簡単になる。
【００５３】
第２の生産モジュールとの結合に関するポート情報は、この場合第２の生産モジュールに直接的および／または間接的に接続される別の全ての生産モジュールの特性または生産動作に関する情報を含むことができる。
【００５４】
この場合、１つの生産モジュールは別の生産モジュールと、両モジュール間に本明細書に記載の結合が行われるまたは設定されるおよび／または両モジュールが直接的に隣接する場合には、直接的に接続される。２つのモジュールは、これらがたとえば、製品の適当な位置決めによりこの製品に両モジュールの生産動作が与えられるように形成、結合および互いにジオメトリック的状況にある場合には、直接的に接続することができる。
【００５５】
２つの生産モジュールは、これらのモジュール間に直接的な結合がなく、その間にある１つまたは複数のモジュールを介して結合が行われるときには、間接的に接続される。
【００５６】
第２の生産モジュールの第２の自己記述情報は、前記生産モジュールとの結合に関する相応するポート情報を含むことができ、この情報は前記ポート情報に関する上述の指示および形態と同様に形成および設定し得る。
【００５７】
生産モジュールは、さらに被加工製品に付設された製品データ処理装置と通信を取るようにおよび／または中間または最終製品の生産に関する生産情報を受領するように形成および設定し得る。
【００５８】
これは、生産モジュールに固有の特性および場合によっては他のモジュールの特性が与えられるばかりではなく、このような形態によりモジュールもしくは生産システムにより実行される生産工程に関する情報も与えられることにより、このような生産モジュールを含む生産システムの構築、設定および／または稼働を簡略化する。
【００５９】
このようにしてユーザにとっては、中間または最終製品の生産に対する生産情報から生じる要求が前記生産モジュールの機能性によりおよび場合によってはこれに結合されたモジュールにより平衡されることにより、たとえば生産の計画を簡略化するかまたはこれを部分的にまたは完全に自動化することができる。この関連において、非リレーショナルデータベースまたはＮｏＳＱＬデータベースとしての自己記述情報の記憶は、このようにして複雑な概念性および論理的関係の平衡もより簡単に実行可能となるので、極めて有利である。
【００６０】
製品データ処理装置は、たとえばこの装置がたとえば製品に関与する生産行程中に固く製品に接続または関連付けられているかもしくはそのようにできるように形成および設定し得る。この場合製品データ処理装置は、たとえば相応するコントローラ、相応する記憶装置および／または生産モジュールとの通信のための相応する通信装置を含むことができる。
【００６１】
製品データ処理装置は、たとえば機械的にも製品に関連付ける、例えば製品に、また製品の担体、ホルダなどにも設置することができる。通信装置は、種々のモジュール上を移動する製品ではこのようにして通信が簡単に実現できるので、たとえばＲＦＩＤ、ブルートゥース（登録商標）またはＷＬＡＮを介する通信用に設定することができる。製品データ処理装置はまた、たとえば１つは製品と上述のような仕方で関連付けられ、別のものはたとえば外部計算機や別のモジュールなどの上に据え付けることのできる複数のコンポーネントから構成することができる。このようにすれば、たとえば製品に直接関連付けられる部品は製品ＩＤ識別子を含み通信できるようにし、他方ではたとえば外部システムに相応する生産情報を格納し特別な通信を介して生産モジュールに伝送可能にすることができるであろう。
【００６２】
生産情報の受領は、たとえば製品データ処理装置から直接的にまたは別の計算機、コンピュータまたはコントローラにより、たとえばＭＥＳシステム（ＭＥＳ：manufacturing execution system＝生産実行システム）、ＥＲＰシステム（ＥＲＰ：enterprise resource planning＝企業資源計画）または同様のシステムにより行うことができる。
【００６３】
生産情報は、中間または最終製品の生産に不可欠な、必要なまたは提案された作業工程および／またはこれに関する情報を含むことができるかまたはこのようなものから構成できる。このような作業工程もしくはこれに関する情報は、たとえば機械加工（フライス、穿孔、プレスなど）により生産すべきジオメトリック的形態、アクチュエータの動き（たとえば、モータ、ポンプまたはバルブの動き）、実行される温度および／または圧力経過、印刷または塗装に関する情報、部品、製品の一部またはデバイス間の接続形成に関する情報、または同様の作業工程もしくはこれらに関する情報であり得る。
【００６４】
特に生産情報は、所定の出発製品から中間または最終製品の生産に必要なもしくは計画されたすべての作業工程もしくはこれらに関する情報を含むことができる。
【００６５】
生産情報に含まれる中間または最終製品の生産に関する指示、データおよび／またはエレメントは、たとえば製品に関連する言語、形式または形態で、または作業工程またはこれに関する情報の抽象的、より一般的な形式または表示で格納または形成することができる。
【００６６】
さらに生産モジュールはモジュール計画情報を記憶するために形成および設定し得る。生産モジュールはまたモジュール計画情報に関する情報を発信するように形成および設定し得る。
【００６７】
モジュール計画情報は、特に、生産モジュールにより製品で実行すべき機能性に関する情報を含むか、またはこれらから構成することができる。この種の情報は、たとえば被加工製品に関するデータ、たとえば製品ＩＤ、名称、識別子、型式などであり得る。さらにこの種の情報は、この製品に実行すべき１つまたは複数の生産動作またはサービスを含むことができる。その上に計画情報は、生産動作に対する相応する生産またはサービスデータ、たとえばＣＡＤデータ、調整、温度、温度経過、必要な品質などを含むまたは有することができる。さらにモジュール計画情報は、生産モジュールによって製品を加工するための時点、時間ロットおよび／または期間に関する情報も含むまたは有することができる。
【００６８】
モジュール計画情報は、すなわちたとえば、生産モジュールによる製品の加工のために生産モジュールに不可欠、必要および／または助けとなるまたはなり得る情報を含むかこの情報から構成することができる。
【００６９】
この場合、モジュール計画情報は生産モジュールに格納することができる。さらに生産モジュールは、他のデータ処理装置、たとえばコンピュータ、サーバー、他の生産モジュールなどからモジュール計画情報を受領するように形成および設定し得る。
【００７０】
モジュール計画情報に関する情報の発信は、たとえば実際にモジュールにより計画された生産工程、使用可能な時間ロットに関する情報の発信として、または完全なモジュール計画情報を相応するシステムに発信するように形成および設定し得る。
【００７１】
上述の課題は、また中間または最終製品の生産用の生産システムによっても解決され、その際生産システムは本明細書に記載のように結合された複数の生産モジュールを含み、さらに複数の生産モジュールはそれぞれ本明細書に記載のように形成されるか形成し得る。
【００７２】
この場合生産システムは、たとえば中間または最終製品の生産のための全設備または全システム、またはこのような全システムまたはこのような全設備の部分システムとすることができる。
【００７３】
最終製品とは、一般に生産設備の成果として生じる製品と解される。これは、たとえば市販可能、貯蔵可能または輸送可能な製品または材料であり得る。これは、たとえば最終顧客または再加工者に引き渡されるまたは設備内でさらに加工できるものであり得る。最終製品は、また複数の個数、材料量または素材量または集合物であり得るまたはそのようなものを含み得る。
【００７４】
生産システムは、たとえば本明細書に記載の少なくとも２つの生産モジュール、有利には少なくとも３個から１０個の本明細書記載のモジュールを含み得る。
【００７５】
上述の課題は、また複数の生産モジュールを含む中間または最終製品を生産するための生産システムによっても解決でき、その際複数の生産モジュールのそれぞれは複数の生産モジュールのそれぞれ少なくとも１つの別の生産モジュールと結合するように形成および設定され、およびその際それぞれ各生産モジュールの記憶装置に当該生産モジュールの特性に関する自己記述情報を記憶し、各生産モジュールがそれぞれの自己記述情報またはそれぞれの自己記述情報の一部を別の装置に伝送するように形成および設定されている。
【００７６】
この場合さらに、複数の生産モジュールの少なくとも幾つかが本明細書に記載のように互いに結合され、生産システムが概念変換モジュールを含み、この概念変換モジュールが中間または最終製品の生産に関する生産情報のエレメントと生産モジュールの自己記述情報のエレメントを割り当てるように設定および形成されている。
【００７７】
このような生産システムは、１つにはたとえば自己記述情報を個々の生産モジュールに設け、これによりこの種の生産システムの設定、構築および稼働を簡略化し、部分自動化またはむしろ完全自動化させることにより、より簡単な構築、より簡単な設定またはより簡単な稼働を可能にする。このような情報の使用可能性により、たとえば種々のモジュールの能力が相応する生産情報、たとえば製品に対する「生産ガイド」により平衡可能である。さらに有利なのは、この関連においてこのような割り当ての実行のために形成及び設定可能な概念変換モジュールの使用である。
【００７８】
この場合、概念変換モジュールは本明細書の別の箇所に詳述してあるように形成および設定し得る。特に概念変換モジュールは、生産情報のエレメントと自己記述情報のエレメントの割り当ての範囲内で、１つまたは複数のＮｏＳＱＬデータベースまたは非リレーショナルデータベースへアクセスするように設定および形成され、特に１つまたは複数のこのようなデータベースを含むことができる。さらに概念変換モジュールは、ＯＷＬまたはＲＤＦデータベースの利用もしくはアクセス用に形成および設定されるようにすることができる。その上に概念変換モジュールは、生産情報および自己記述情報の概念の割り当ての範囲内でＳＰＡＲＱＬを応答言語として使用するように形成および設定し得る。
【００７９】
この場合概念変換モジュールは、たとえば付属のハードウェアを有するソフトウェア・アプリケ―ションとしてアプリケーションのシーケンス用に形成および設定することができ、その際ハードウェアは他のソフトウェア・アプリケーションおよび応用によっても利用または利用可能である。
【００８０】
概念変換モジュールは生産システム内に固有のユニットとして、たとえば相応する計算器ユニットの一部として形成および設定し得る。概念変換モジュールはまた生産システムの１つの生産モジュール、複数の生産モジュールまたは全ての生産モジュールの一部とすることができる。
【００８１】
さらに、生産モジュール、生産モジュールの特性に関する自己記述情報、自己記述情報の伝送、その他の装置、生産モジュールおよび生産システムはさらに本明細書に記載のようにさらに形成および設定することができる。
【００８２】
上述の課題はまた、本明細書記載の生産システムによる中間または最終製品の生産の計画のための生産計画装置によっても解決され、その際生産計画装置は生産情報を記憶するように形成および設定され、この生産情報は中間または最終製品の生産のために必要な生産工程を含む。この場合生産計画装置は、生産システムの生産モジュールの選択の自己記述情報の少なくとも一部を受領および記憶するように形成および設定されている。その上に生産計画装置は、被加工製品のための生産計画を確定するように形成および設定されており、その際生産計画は、中間または最終製品の生産のために製品が走行すべきまたは走行可能なもしくは走行している生産システムの生産モジュールの順序に関する情報を含んでいる。
【００８３】
このような生産計画装置により相応する生産システムの構築および設定もしくは稼働はさらに、たとえば生産モジュールの自己記述情報へのアクセスにより製品のために作られた生産計画からユーザの関与を少なくしてまたは関与なしに生産システムによる製品の生産のための期間を作ることが可能となることにより簡略化される。
【００８４】
特に、自己記述情報からの概念、すなわちたとえば生産モジュールの能力と生産情報からの製品生産に関する要求との平衡が、たとえば有利なことにＮｏＳＱＬデータベースまたは非リレーショナルデータベースとして記憶されている生産モジュールの自己記述情報により達成される。
【００８５】
このようにして記憶された自己記述情報により、たとえば生産情報および自己記述情報の種々の概念ワールドから生じるようなより複雑な論理結合が取り扱われる。従って、上述のデータベースにより、たとえばいわゆる「オントロジー」がデータ処理技術で実装される。このようなオントロジーにより、たとえば製品生産のための生産情報および生産モジュールの自己記述情報の概念ワールドが論理的に互いに結合される。
【００８６】
生産計画装置は、たとえば相応する経過ハードウェアを備えたソフトウェア・アプリケーションとして形成および設定することができる。この場合経過ハードウェアは、たとえば他のソフトウェア・アプリケーション、稼働システムまたは類似のソフトウェア・エレメントにより利用されるようにすることができる。生産計画装置は、たとえば製品に関連付けられた相応する電子機器内に実装することができる。この装置は、例えば外部計算機内に実現するかまたは生産システムの１つの生産モジュール内、生産システムの複数の生産モジュール内または生産システムの全ての生産モジュール内にも実現可能である。
【００８７】
この場合生産情報は、生産計画装置内に記憶されるようにすることができる。さらに生産計画装置は、他のユニットから生産情報を受領するように形成および設定することができる。このような外部ユニットは、たとえば製品に関連付けられた記憶装置またはデータ処理ユニットとして、別の生産モジュールとしてまたはたとえば外部計算機、たとえば計画システム（たとえばＭＥＳシステムまたはＥＲＰシステム）として形成および設定することができる。
【００８８】
その中に含まれている中間または最終製品の生産のために必要な生産工程を備えた生産情報は、本明細書の別の箇所に詳述されているように形成および設定することができる。この場合生産情報は、中間または最終製品の生産のために必要な全ての生産工程を含む必要はない。たとえば生産工程は、中間または最終製品の生産の範囲内で生産システムの外で行うこともできる。
【００８９】
生産工程は、たとえば本明細書の別の箇所で詳述したように各種の加工、取り扱いおよび／または輸送行程とすることができる。
【００９０】
生産計画装置は、生産システムの生産モジュールの少なくとも１つの選択の自己記述情報の少なくとも一部を受領および記憶するように形成および設定されている。この場合自己記述情報の一部とは、たとえば各生産モジュール内に記憶されている全ての自己記述情報である。さらにこれは、特に各生産モジュール自己記述情報の一部、たとえば特に各生産モジュールの１つまたは複数または全ての生産動作および／またはサービスに関する部分であり得る。
【００９１】
生産モジュールの選択は、たとえば生産システムの生産モジュールの全体、生産システムの生産モジュールの少量または生産システムのただ１つの生産モジュールであり得る。たとえば、生産計画装置が１つの生産モジュール内に実装されている場合には、少なくとも生産システムの他の生産モジュールの自己記述情報の各生産動作に関係する部分が生産モジュールに伝送されそこに記憶されるようにすることができる。生産モジュール自体に記憶された固有の自己記述情報により生産計画装置には、この場合たとえば生産システムの生産動作に関する全ての自己記述情報があることになる。これらの情報および生産情報からの情報によって、有利なことに生産計画は本明細書に記載のように確定される。
【００９２】
生産計画の確定により、この計画はたとえば生産計画装置に記憶することができる。さらに生産計画は生産システムの１つ、複数または全ての生産モジュールに伝送することができる。さらに生産計画は、たとえば製品に関連付けられたデータ処理装置にも伝送および場合によってはそこに記憶することができる。
【００９３】
生産計画の確定は、たとえば、生産情報に含まれる各生産工程がたとえば相応するデータベース構造または相応するオントロジー・データベースにより生産システムの１つまたは複数の生産動作に関連付けられることにより行うことができる。たとえば実行すべき生産工程としては、たとえば相応するＣＡＤデータを含めた加工品のある程度外側のジオメトリック的な形状の製作であり、生産システムではたとえばフライス盤が提供される。次いで、たとえばこの３Ｄ型の製作の生産工程がフライスの生産動作に関連付けられる。さらに次いで生産計画装置が生産計画の確定過程で、たとえばジオメトリック的前提条件、たとえば被加工製品の大きさが生産システムにある１つまたは複数のフライスの相応する能力および周辺条件に適合性があるかどうかが検査される。順守すべき品質基準または加工すべき材料も、ここでは加工工程の実行のための可能な生産モジュールの選択の際の別の制限条件を示すことができる。同様にして、次いで生産計画装置はたとえば生産工程のそれぞれに１つまたは複数の相応する生産モジュールを確定できる。これらの情報により、生産計画装置は次いで相応する「生産モジュール・路線計画」を設計し、これに沿って相応する製品が、たとえば相応する輸送モジュールなどによって中間または最終製品の作成までの生産システムを通る路線をたどるようにすることができる。
【００９４】
生産計画は、たとえば中間または最終製品の生産に必要な生産動作を有する生産モジュールの収集を含むことができる。生産計画は、また一定の製品箇所にすぐ続く生産モジュールを含むかまたはこのすぐ続く生産モジュールのみを有することができる。さらに生産計画は、製品が中間または最終製品の生産のため順次走行することのできる生産モジュールの順序を含むことができる。さらに生産計画には、中間または最終製品の生産のための代替的な順序を設けることもできる。この場合それぞれ１つの生産モジュールには、そこでそれぞれ実行すべき１つまたは複数の生産動作またはサービス、相応する生産時点または時間空間、時間計画、相応する生産パラメータ（たとえば、ＣＡＤデータ、温度表示または経過、印刷パターン、プレス型など）などが関連付けられる。この場合製品モジュールの順序は、たとえば製品が中間または最終製品の生産の範囲内で何回も同じ生産モジュールを要求するときは、１つまたは複数の生産モジュールを何回も含むことができる。
【００９５】
生産計画は、たとえば中間または最終製品の生産に使用すべき、使用できるまたは使用しなくてならない全ての生産モジュールを含むことができる。この場合１つまたは複数の生産モジュールは何回も使用することができる。さらに生産計画は、中間または最終製品の生産のために走行すべき、走行できるまたは走行しなくてはならないまたは走行する生産モジュールの順序および場合によっては１つまたは複数の代替的順序を含むことができる。
【００９６】
この場合、生産計画システムはさらに概念変換モジュールへのアクセスを有し、その際この概念変換モジュールが中間または最終製品の生産に関する生産情報のエレメントおよび生産モジュールの自己記述情報のエレメントを割り当てるように設定および形成されるようにすることができる。
【００９７】
生産計画システム内のこのような概念変換モジュールは、実行すべき生産工程と使用に供される生産動作との平衡がこのような概念変換モジュールを介してより簡単に可能であり、特に少なくとも部分自動化または自動化可能であるので、相応する生産システムの構築、設定および／または稼働を簡略化する。
【００９８】
概念変換モジュールは、この場合たとえば生産計画システムの一部または下部セグメントとしてまたは別個のユニットとして形成および設定することができる。
【００９９】
この場合、中間または最終製品の生産に関する生産情報のエレメントおよび自己記述情報のエレメントの割り当ては、たとえば、生産情報内の１つ、複数または全ての生産工程にそれぞれ生産システムの生産モジュール内で使用可能な１つまたは複数の生産動作またはサービスを割り当てるように形成および設定することができる。割り当てはたとえば、生産情報の１つの生産工程にこの生産工程の実行に必要、可能または不可欠な１つまたは複数の生産動作を仕分けることを含むことができる。
【０１００】
この種の概念変換モジュールの使用のもとに、生産計画装置は、たとえば生産情報の最初の生産工程を分析し、この工程に必要な１つまたは複数の生産情報を確定し、この分析を次の生産工程で継続する・・・などを行うことができる。これが、生産情報の全ての生産工程に対して行われるときには、この生産計画システムによって、たとえば生産モジュール間の必要な機能性および可能な輸送路線の相応する順序付けにより、本明細書に記載の生産計画を創出することができる。
【０１０１】
さらに、概念変換モジュールは中間または最終製品の生産に関する生産情報のエレメントおよび生産モジュールの自己記述情報のエレメントを含むデータベースを含むようにすることができ、その際これらのエレメントにはそれぞれその都度別のカテゴリーのエレメント、関連付け情報および／またはほかのエレメントが割り当てられる。
【０１０２】
たとえば、ＮｏＳＱＬデータベースまたは非リレーショナルデータベースとして本明細書に記載のように形成および設定し得るこのようなデータベースは、たとえば一種の「辞書」を作ることを可能にし、生産情報の概念の「翻訳」のためにこれらの概念に、たとえばたとえば一般的な上位概念またはカテゴリーを割り当てることができる。さらにこれらの情報には、生産モジュールの機能性に関する相応する概念または相応の生産概念を割り当てることができる。同様にして、たとえば自己記述情報の概念は一般的な上位概念、カテゴリーまたは分類を割り当てるか、または生産工程に相応する個々の概念を割り当てることができる。さらに自己記述情報の概念も、直接的にまたは間接的に生産情報の範囲からの概念を割り当てることおよび／またはその逆を行うことができる。
【０１０３】
このようにすれば、たとえば一定の生産工程概念から出発して、生産工程がどのカテゴリーに属するか、またはこの生産工程がどの上位概念に属するかを調べることができる。次いで、たとえばさらに、同様にこれらのまたは類似のカテゴリーまたは上位概念に属する生産動作を求めることができる。これは場合によっては、概念のより長い論理チェーンおよび種々の中間カテゴリーまたは概念の割り当てを必要とする。
【０１０４】
代替的に、たとえばいくつかの生産工程に直接的にまたは間接的に１つまたは複数の生産動作を割り当てることもできる。この場合にも場合によっては、生産システムの生産動作性への生産工程の有意義な割り当てに至るためには、概念のより長いまたはより複雑な論理的順序が必要となり得る。この観点から１つもしくは複数のデータベースをＮｏＳＱＬデータベースまたは非リレーショナルデータベースとして形成することが論理結合チェーンの比較的簡単な製作の可能性のために特に適している。
【０１０５】
関連付け情報は、この場合たとえば使用された概念、上位の概念、クラス分けおよび／または各エレメントに割り当てることのできるカテゴリーであり得る。たとえば、データベースはいわゆる「オントロジー」として形成することも、またはこのような「オントロジー」の表示とすることもできる。
【０１０６】
上述の課題は、また本明細書に記載するように生産システムによる中間または最終製品の生産の設定および／または制御のための生産制御装置によっても解決され、その際この生産制御装置は被加工製品の生産計画を記憶するように形成および設定されており、その際この生産計画は中間または最終製品の生産のため製品が、走行すべき、走行し得る、走行しなければならないまたは走行する生産システムの生産モジュールの順序に関する情報を含んでいる。この場合生産制御装置は、生産モジュールの順序の生産モジュールの少なくとも１つの選択との通信のために形成および設定されている。さらに生産制御装置は、製品の加工が生産モジュールによってもしくは生産モジュールの選択によって行われる時間的経過を確定するように形成および設定されている。
【０１０７】
個々の生産モジュールにおける記憶可能なまたは記憶された生産計画および通信の可能性によって、生産制御装置は製品が生産モジュールによって加工される時間的経過の確定によって相応する生産システムの構築、設定および／または稼働をさらに簡略化することができる。たとえば、製品加工の時間的経過に対する相応する期間は減じられた経費でユーザにより半自動的または完全自動的に実行可能である。
【０１０８】
この場合生産制御装置は、たとえば相応するハードウェアを備えたソフトウェア・アプリケーションとして、ソフトウェア・アプリケーションの経過のために形成および設定することができる。この場合、たとえば上述のハードウェアは他のソフトウェア・アプリケーション、モジュール、稼働システムなどによっても利用するまたは利用可能にすることができる。たとえば生産制御装置は、本明細書に記載のように製品に関連付けられたデータ処理装置の一部として形成および設定することができる。さらに生産制御装置は、たとえば１つの外部計算機、１つの生産モジュールまたは生産システムの１つ、複数または全ての生産モジュールの一部であり得る、もしくはこの種の装置により含み得る。
【０１０９】
さらに、生産制御装置は、被加工製品に対する生産計画を記憶するように形成および設定されるか、または被加工製品に対する生産計画が生産制御装置に記憶されるようにすることができる。
【０１１０】
生産制御装置は、また外部装置から生産計画を受領するように形成および設定することができ、特にこの種の受領を行うことのできるまたは行う相応する通信手段を入手できる。この種の外部データ処理装置は、たとえば製品に関連付けられたまたは直接的に製品に設けられるデータ処理装置、外部計算機、１つまたは複数の生産モジュールまたはいわゆるサイバー・フィジカル・生産・モジュールおよび／または外部計画システム（たとえばＭＥＳシステムまたはＩＲＰシステム）であり得る。さらに生産制御装置は、上述のコンポーネントとの相応する通信の実行のために形成および設定することができる。
【０１１１】
生産計画は、たとえば生産モジュールの秩序だった順序およびたとえば生産モジュールの他の代替的順序を含むことができる。この場合たとえば、生産モジュールの順序内に、１つの生産モジュールがたとえば種々の生産工程に対して使用されるときには、この生産モジュールを何回も呼ぶようにすることもできる。
【０１１２】
この場合、生産モジュールの順序は中断のない順序である必要はない。これはたとえば、生産モジュールの順序が生産モジュールの順番を予め規定できるが、しかし、個々の生産モジュール工程間に後でなお別の工程を設けることもできることを意味する。たとえば生産計画では、生産モジュールの順序は規定されるが、相応する輸送工程または相応するロジスティクなしに行うことができる。さらに生産計画は、生産モジュールの順序が互いに接している生産モジュールの互いに続くチェーンを含むように形成することもできる。
【０１１３】
生産モジュールとの生産制御装置の通信能力は、たとえばこの通信を介して、たとえば生産モジュールの自己記述情報もしくはその一部、および／または生産モジュールに対して計画された生産制御装置の作業行程に関する計画情報を入手するように形成および設定することができる。
【０１１４】
このようにして、たとえば生産制御装置により、生産モジュールが現在または将来（たとえば、相応する時間計画に亘り）どのような実際の状態（たとえばフル活動、制限された活動、停止、待機状態など）にあるかが確定される。このようにして、生産制御装置によりたとえば、生産モジュールが将来においていつ既に仕事しているか、たとえば被加工製品に対してどれだけの時間空間が実際になお用意されるであろうかが確定される。
【０１１５】
製品の加工が行われる期間を確定する際には、生産制御装置はたとえば、その間に各生産モジュールが相応する被加工製品に一定の生産動作を実行するために用意される、用意されるであろうまたは用意できるであろう個々の生産モジュールに相応する時間窓で「処置」することができる。
【０１１６】
生産計画、生産モジュールの相応する状態および使用可能性並びに生産モジュールによる生産動作の実行の可能性に関する上述の処置の利用のもとに、たとえば製品の加工が生産モジュールによって行われる期間の確定中に、相応する時間計画が創出され得る。この時間計画は、たとえば、生産計画から生じる個々の生産工程がいつどの生産モジュールにより行うことができるかもしくは行われるかに関する情報を含む。このようにして相応する時間期間が、場合によっては相応する代替的計画によって行うことができる。
【０１１７】
確定された期間は、次いでたとえば個々の生産モジュールに伝送することができ、その際さらに、相応する生産モジュールが新規な製品に対して伝送された時間的期間によって、それらの各内部計画情報を実現するようにできる。さらに、生産制御装置は各生産モジュールに、それぞれの生産モジュールに該当する情報のみを時間期間から伝送するようにすることもできる。ここでもまた、生産モジュールが新たに伝送された情報により、その内部時間計画を実現するようにできる。
【０１１８】
期間の確定中に、たとえば一定の製品における一定の生産動作の実行の処置に関して、生産モジュールによる加工の時間的経過の確定の枠内で相応する加工時間提案を生産制御装置から当該生産モジュールに伝送し、生産制御装置の生産モジュールによる確認通知により為された提案による生産モジュールの相応する固定化もしくは「了解」が行われるようにすることができる。この種の処置・同意機構は、相応する固定化により期間がより確実に信頼性をもって計画できるかもしくは計画可能であるので、製品モジュールによる製品の加工の時間的経過の確定を容易にする。
【０１１９】
上述の課題はさらに、本明細書に記載の生産計画装置および／または本明細書に記載の生産制御装置を含む生産モジュールによって解決される。
【０１２０】
さらに、本明細書による生産システムは本明細書に記載の少なくとも１つの生産計画装置および／または本明細書に記載の生産制御装置を含むようにすることができる。
【０１２１】
このようにして、このような生産モジュールを備えた相応する生産システムの構築は、個々の生産モジュールにより実行される生産工程の順序並びに相応する時間計画に関する相応する生産計画が、既に生産システムもしくはモジュールに設けられ部分自動化または完全自動化できる手段を設けることができることによりさらに簡略化される。
【０１２２】
このような生産モジュールまたは生産システムはたとえば、種々の生産モジュールの相互の相応する通信および一定の製品に関する生産情報の相応する伝送の形成後に、（結合された生産モジュールによる製品の加工計画から生産の実際の実行まで）製品加工の比較的自主的な確定を可能にすることができる。
【０１２３】
上述の課題は、さらに本明細書に記載されているように
・中間または最終製品を生産するために必要な生産工程を含む生産情報が存在し、
・中間または最終製品の生産の計画のための生産計画装置が設けられ、
・生産計画装置が生産システムの生産モジュールの自己記述情報へのアクセスを有する、
生産システムによる中間または最終製品の生産の計画方法により解決される。
【０１２４】
この場合、上述の方法は次の工程を有する。
・中間または最終製品の生産に関する生産情報を生産計画装置に伝送する工程。
・生産システムの生産モジュールの少なくとも１つの選択の自己記述情報の少なくとも一部を生産計画装置に伝送する工程。
・被加工製品のための生産計画を確定および記憶する工程であって、生産計画が、製品が中間または最終製品の生産のために走行すべき、走行できる、走行しなければならないまたは走行する生産システムの生産モジュールの順序に関する情報を含む工程。
【０１２５】
生産計画の確定の際に伝送された生産情報並びに少なくとも個々の生産モジュールの個々の自己記述情報が入手できる能力によって、上述のように、相応する生産計画がこのような生産システムによって簡略化され、部分的に自動化または完全に自動化される。このようにして相応する生産システムの構築、設定および／または制御が簡略化される。
【０１２６】
この場合、中間または最終製品の生産は本明細書に記載の生産システムにより行われるようにされる。生産の計画方法は、たとえば同様に生産システム内でたとえばその中に設けられた計算機モジュールまたは含有されている１つまたは複数の生産モジュールにより実行することができる。さらにこの方法は、外部計算機装置内でも実行することができる。
【０１２７】
生産情報は、たとえば外部計算機ユニット、相応する生産計画システム（たとえば、ＭＥＳシステムまたはＥＰＲシステム）、製品に関連付けられたデータ処理ユニットおよび／または1つまたは複数の生産モジュール内にも存在するまたは記憶するようにすることができる。生産情報の生産計画装置への伝送は、たとえば、生産情報も生産計画装置も同じ装置内に存在するか設けられている場合には、１つの装置内で行うこともできる。
【０１２８】
生産情報は、たとえば本明細書の別の箇所に詳述しているように形成および設定することができる。この情報は、中間または最終製品の生産のために必要なすべての生産工程を含むまたは有するか、またはこれらの生産工程のただ１つの選択を含むことができる。後者の場合、たとえば、中間または最終製品の生産に全体として必要とされる生産工程の幾つかを生産システム外でもまたは他の方法でも実行することができる。
【０１２９】
生産工程は、本明細書の別の箇所で詳述したように形成および設定することができる。これらの工程は、特に製品、材料、素材、デバイスなどの各種の加工、取り扱い、変換、変形などであり得る。生産工程の例は、たとえばフライス、穿孔、塗装、プレス、加熱、冷却、輸送、溶融、印刷、塗装、などであり得る。
【０１３０】
生産計画装置は、たとえば本明細書に記載のように形成および設定することができる。この装置は、特にたとえば付属のハードウェアを備えたソフトウェア・アプリケーションとしてアプリケーションの経過のために形成および設定することができる。この場合、上述のハードウェアはたとえば別のソフトウェア・アプリケーションにより利用することもできる。生産計画装置は、たとえば１つの計算機内、１つのコントローラ内、１つの生産モジュール内などに実装することができる。
【０１３１】
生産計画装置は、たとえば相応する通信手段を介して生産モジュール内に記憶された自己記述情報にアクセスでき、この情報をたとえば完全にまたは部分的に生産モジュールから取り出して伝送して得ることができる。さらに、個々の生産モジュールの自己記述情報は別個の装置、たとえば相応する生産システムまたは他の計算機またはモジュールに記憶し、そこから相応する通信手段を介して生産計画装置に伝送することができる。
【０１３２】
生産計画装置に伝送される自己記述情報は、それぞれ特に、各生産モジュールの１つまたは複数の生産動作に関与する自己記述情報部分を含むことができる。これは、たとえば一定の生産動作に対する相応する識別情報、生産モジュールなどの作業範囲および品質基準に関する情報などを含むことができる。
【０１３３】
自己記述情報の少なくとも一部を生産計画装置に伝送する生産システムの生産モジュールの選択は、たとえば生産システムの全ての生産モジュール、このシステムの幾つかの生産モジュールまたは生産システムのただ１つの生産モジュールであり得る。特に生産モジュールの選択は、相応する通信手段並びに相応する自己記述情報を備えるもしくはこれらにアクセスを有する生産モジュールを含むかもしくはこれらの生産モジュールから構成することができる。
【０１３４】
生産計画の記憶は、たとえば生産計画装置内、１つまたは複数の生産モジュール内または別個の計算機内で行うことができる。生産計画装置による記憶は規則的に行われるが、必ずしも行わなくても良い。代替的に生産計画の確定中に、この計画はいわば直接的に確定中に直接別のユニットに伝送されるか、またはそこで初めて記憶するようにできる。
【０１３５】
生産計画は、この場合たとえば本明細書の範囲内で既に別の箇所で詳述したように形成および設定することができる。この計画は、たとえばモジュール順序、それぞれ実行すべき生産動作またはサービス、時間計画、生産パラメータ（たとえばＣＡＤデータ、温度経過、印刷パターンなど）を含むことができる。
【０１３６】
生産モジュールの順序に関する情報も、本明細書の別の箇所で詳述したように形成および設定することができる。特に、生産モジュールの順序は互いに接する生産モジュールの隙間のない順序であり得る。さらにはまた、生産計画内での生産モジュールの基本的な順序を設けることができ、その際生産計画内では個々の生産モジュール間のロジスティクに関する情報は１つもないか少なくとも完全なものは含まれていない。さらに生産モジュールの順序内では、１つの生産モジュールが何回も含まれるようにすることができる。
【０１３７】
生産計画の確定に続いてまたはそれとは無関係に、製品の加工が生産モジュールによりもしくは生産モジュールの選択により行う期間が確定されるようにすることができる。
【０１３８】
この場合、製品の加工が生産モジュールによって行われる期間の確定は、上述のたとえば生産制御装置の機能性の説明の範囲内で詳述したように形成および設定することができる。特に、製品の加工が生産モジュールによって行われる期間の確定は、個々の生産モジュールによる使用可能な生産容量、機能性および／または時間窓による「処置」を含むことができる。
【０１３９】
さらに確定は、たとえばいわゆる「リソース・アロケーション」を含むことができ、これによれば加工工程の期間の確定中に生産モジュールにより規定された生産リソースおよび／または時間が個々の生産モジュールといわば「協定する」ようにされる。これは、たとえば相応するリソース要求に関する相応する情報通知の伝送により包括され、相応する確認通知により相応する生産モジュールによりいわば確認されるか「領収」される。相応するリソース（たとえば一定の製品の加工または処置に対する一定の時間区間のリザーブ）は、次いでたとえば相応する生産モジュールに、たとえば相応する計画テーブルまたはデータベースに格納し、これによりリザーブ、固定および／またはブロックすることができる。
【０１４０】
確定された時間的経過は、たとえば生産モジュール、外部ユニットまたは生産計画システムに記憶することができる。さらに一定のモジュールに関する各情報は、それぞれのモジュールに伝送されそこで記憶することができる。モジュール内のこの種の記憶は、代替的にまたは付加的に「リソース・アロケーション」および／または相応するリソース要求の受領の期間内に上記に例示したように行うことができる。
【０１４１】
生産計画は、さらに各生産モジュールでそれぞれ実行すべき１つまたは複数の生産動作に関する情報も含むことができる。これは、たとえば個々の機能性に関する識別子または情報、および／または生産動作に関する相応のパラメータ（たとえば、ジオメトリック的パラメータ、機能的パラメータ、質的パラメータなど）を含むことができる。
【０１４２】
さらに、生産計画システムは生産計画内にまたは確定前に本明細書に記載の概念変換モジュールへのアクセスを有するか、もしくは確定の期間内にこの種の概念変換モジュールにアクセスするようにすることができる。
【０１４３】
この場合たとえば、１つの生産情報からたとえば一定の生産工程に関する概念が相応する概念変換モジュールに伝送され、そこからたとえばこれに関連付けられた１つまたは複数の概念が使用可能な生産モジュールの生産動作に戻されるようにするか、または逆のことが行われるようにすることができる。
【０１４４】
別の有利な実行形態は従属請求項に記載されている。
【０１４５】
以下に本発明を添付図面の参照により例示的に詳細に説明する。
【図面の簡単な説明】
【０１４６】
【図１】図１はたとえば生産モジュールから構成される生産システムの構成例を示す。
【図２】図２は生産モジュールのデータ構造の詳細例を示す。
【図３】図３は別の例における生産システムの概略図を示す。
【図４】図４は生産計画中の概念割り当てのシーケンス例を示す。
【図５】図５は１つの生産の時間計画のシーケンス例を示す。
【発明を実施するための形態】
【０１４７】
図１は第１の生産モジュール１１０、第２の生産モジュール２１０並びに第３の生産モジュール３１０を備えた生産システム１００の概略構成を示し、各生産モジュールは図１において正方形で概略表示されている。
【０１４８】
各モジュール１１０、２１０、３１０のモジュール構成は概略表示されている。この場合、モジュールはそれぞれ１つの記憶装置領域１２０、２２０、３２０を有しており、各モジュール１１０、２１０、３１０の記憶装置領域１２０、２２０、３２０には、それぞれ各モジュールに備わるいわゆる「サイバー・フィジカル・ポート」に関するポート情報１５０、２５０、３５０が記憶されている。図１に示したポート情報１５０、２５０，３５０は、本明細書に記載のポート情報の一例である。
【０１４９】
さらに各生産モジュールの記憶装置領域１２０、２２０、３２０は、それぞれ機能的並びに電子的、機械的および通信的コンフィギュレーショ並びに各モジュールの特性に関するコンフィギュレーション情報１３０、２３０、３３０を含んでいる。さらに各モジュールの記憶装置領域１２０、２２０、３２０は各モジュールの機能性記述１４０、２４０、３４０、使用可能な命令記述１６０、２６０、３６０、並びに各モジュール１１０、２１０、３１０に関する１つまたは複数の状態情報１７０、２７０、３７０を含む。コンフィギュレーション情報１３０、２３０、３３０、機能性記述１４０、２４０、３４０、使用可能な命令記述１６０、２６０、３６０、および状態情報１７０、２７０、３７０は、それぞれ本明細書に記載の自己記述情報の一例である。上述の自己記述型もしくはポート情報は図２との関連でなお例示的に説明する。
【０１５０】
さらに各生産モジュール１１０、２１０、３１０は、自動化または制御のためのもしくは各生産モジュール１１０、２１０、３１０が提供する各種の機能性およびサービスの取り扱いのための自動化および／または制御装置１８０、２８０、３８０を含む。さらに各生産モジュール１１０、２１０、３１０には、たとえばアクチュエータ並びにモジュール１１０、２１０、３１０の別の電子的、光学的その他の装置を作動させるために必要であるもしくは使用される１つまたは複数の電子デバイスまたはモジュール１８２、２８２、３８２が設けられる。その上、各モジュール１１０、２１０、３１０は機械的部材１８４、２８４、３８４を含む。
【０１５１】
図１に示した矢印１９０、１９２、１９４、１９６は、第１の生産モジュール１１０に変化が生じる際の例示的な通信経路を示す。このため、たとえば第２の生産モジュール２１０は相応する通知１９０を介して第１の生産モジュール１１０に「サブスクライバー」、すなわち第１の生産モジュール１１０に接続されたモジュールとして登録される。この登録は、たとえば両モジュールの結合時にもしくは結合直後にまたは後でも行うことができる。同様に第３の生産モジュール３１０は、相応する「サブスクライバー」通知１９２を介して第１の生産モジュール１１０に登録される。第１の生産モジュールの変化時に、たとえば第１の生産モジュール１１０の状態情報１７０に記憶されている通常状態から停止状態への状態変化時には、第１の生産モジュール１１０は相応する変化通知１９４を第２の生産モジュール２１０へまた相応する通知１９６を第３の生産モジュール３１０に送る。このようにして第２および第３の生産モジュール２１０、３１０は、第１の生産モジュール１１０における状態変化について報知され、これはたとえば生産チェーンのコーディネーションまたは１つの製品の共通した加工または処理の際に考慮することができる。
【０１５２】
このような通信体系により原理的には、生産モジュール１１０、２１０、３１０の１つにおける変化時にそれぞれこれに直接または間接的に接続されている生産モジュールに報知がなされ、これは生産システム１００内で共同作用中に考慮することができる。相応する「サブスクリプション」行程は、次いで全く同様に第１および第３の生産モジュール１１０、３１０から第２の生産モジュール２１０にもしくは第１および第２の生産モジュール１１０、２１０から第３の生産モジュールにというように設定することができるので、このような機構を介して図１に示した３つのモジュール１１０、２１０、３１０のすべてが相互に変化についてそれぞれ相応に報知がなされる。
【０１５３】
生産モジュール１１０、２１０、３１０は、この場合たとえばいわゆる「サイバー・フィジカル・モジュール」（ＣＰＭ）またはいわゆる「サイバー・フィジカル・生産・モジュール」（ＣＰＰＭ）とも呼ぶことができ、もしくはこのようなモジュールとして形成および構成される。生産システム１００はこの関連において、たとえばいわゆる「サイバー・フィジカル・システム」（ＣＰＳ）とも呼ぶことができ、もしくはこのように形成および設定される。
【０１５４】
図２は、図１に示した第１の生産モジュール１１０の記憶装置ユニット１２０の概略構造の一例を示す。この自己記述型もしくはポート情報記憶装置１２０はコンフィギュレーション情報１３０を含んでおり、この中にはたとえばモジュールタイプ１３１、モジュールまたはモジュールの機能部材のジオメトリック的状況または配置１３２並びにモジュール１１０の作業範囲１３３が記憶されている。この場合「タイプ」１３１は、たとえば相応する識別子または１つまたは複数の機能表示から成るかもしくはこのような情報を含むことができる。作業範囲１３３に関する情報には、たとえば相応する生産モジュール１１０に製品が存在するようにできるもしくはこれらの製品を動かすことができる空間的範囲を記述することができる。たとえば輸送または搬送ベルトの作業範囲は、輸送または搬送ベルトに沿って長く延び製品を輸送または搬送ベルトにより動かすことのできるボリューム範囲とすることができる。加工機械では、作業範囲はたとえば機械の加工部材がその中にある製品に作用することができるボリューム範囲とすることができる。相応する作業範囲は、上述の生産動作中に別の機能性に対して確定される。
【０１５５】
さらに、第１の生産モジュール１１０の記憶装置範囲１２０は機能性およびサービス情報１４０を含んでおり、この情報はモジュールによる輸送可能性１４１、モジュールの加工可能性１４２、または製品または材料の保管または格納のための貯蔵可能性１４６を含んでいる。加工情報１４２は、たとえばさらに、相応する加工機能を利用するための前提情報１４３、加工機能を詳細に示す相応するパラメータ１４４および／または加工後の製品の再処理を特徴づけるもしくは必要である追加条件１４５も含むことができる。
【０１５６】
広く一般的に本明細書に記載の生産モジュールは、それぞれ複数の上述の生産動作性を含むことができ、その際たとえば相応する記憶装置において、各機能性に対してそれぞれ１つの情報を格納できるかもしくは格納されている。たとえば１つの生産モジュールは、たとえば１つまたは複数の輸送もしくは搬送ベルトまたはロボットアームもしくはそれらの組み合わせに関する複数の輸送機能性を有し、種々の加工機能を有し並びにまた種々の貯蔵可能性を有することもできる。
【０１５７】
生産モジュール１１０の記憶装置１２０には、さらに別の生産モジュールに対するいわゆる「サイバー・フィジカル・ポート」に関するポート情報１５０が記憶されている。この「サイバー・フィジカル・ポート」は結合された生産モジュールの機能的共同作業に関する情報、並びにこのように結合されたモジュールに使用可能な機能性に関する情報も含むことができる。
【０１５８】
たとえばポート情報１５０は隣接し結合された生産モジュール、たとえば図１に示す第２の生産モジュール２１０に対する第１の「サイバー・フィジカル・ポート」１５１に関する情報を含む。この場合相応するポート情報１５１には、たとえば第２の生産モジュールに対する交互作用または引き渡し範囲の大きさ１５２、引き渡し範囲の状況または位置１５３、並びに接続されたモジュール２１０の識別子１５４に関する情報が含まれる。さらに、たとえば第２の生産モジュールの機能性に関する情報並びに第２の生産モジュール２１０に接続された別の生産モジュールの機能性に関する情報を相応するポート情報１５１に記憶することもできる。第１の生産モジュール１１０から別の生産モジュール、たとえば図１に示す第３の生産モジュール３１０に対するさらなる直接的な接続が存在しうるならば、この第３の生産モジュール３１０に対する相応する「サイバー・フィジカル・ポート」に対しても相応するポート情報が一般的なポート情報１５０に格納されるであろう。
【０１５９】
さらに第１の生産モジュール１１０の記憶装置範囲１２０は、生産モジュールにおいて使用可能な命令またはその制御のためのコマンドに関する情報１６０を含む。この命令記憶装置１６０には、たとえばラン命令１６１またはターゲット・スピード命令１６２に関する情報も蓄積され、これらの情報を基に相応して使用可能なパラメータでこれらの命令が定義され、システムのユーザにより生産モジュール１１０の制御を設定するために読み出すことができる。
【０１６０】
第１の生産モジュール１１０の記憶装置１２０における事象／状態情報範囲１７０には、たとえば生産モジュールの実際の状態１７１並びにたとえばモジュールのモータの実際の速度１７２に関する情報が格納されている。
【０１６１】
第１の生産モジュール１１０に格納された図２に示した情報全体は、ユーザの比較的少ない関与によっても、またユーザの関与なしでもこの種の複数の生産モジュールの共同作業を組織化しこのように結合された生産モジュールの共通の生産シーケンスを生じせしめることを可能にする。上述の情報に関しては、このような生産モジュールに結合された別の生産モジュールにおいて、１つのモジュールの機能性、ジオメトリ、並びに状態および励振もしくは制御可能性に関する情報並びにモジュールに対する結合可能性を検知し、これをたとえば半自動化されたまたは自動化された計画プロセスに際して考慮することが可能である。
【０１６２】
図３は生産システム４００の機能図である。生産システム４００は、この場合３Ｄプリンタ４３１、２つのロボット４１２、４３２並びにＣＮＣ機械４１３（ＣＮＣ＝コンピュータ数値制御）を有する。さらに生産システムは、出発製品用の供給輸送ユニット４２１、加工中の製品用の輸送または搬送ベルト４２２並びに生産システム４００により生産された中間または最終製品用の輸送および貯蔵ユニット４２３を有する。
【０１６３】
図３における個々の生産モジュールの表示はシンボルで示されており、各生産モジュールに対しては４つの「サイバー・フィジカル・ポート」ａ、ｂ、ｃ、ｄが繋がった小さな正方形で表示されており、これらは可能なまたは存在している「サイバー・フィジカル・ポート」をシンボル化するものである。
【０１６４】
たとえば搬送ベルト４２２は、４つの「サイバー・フィジカル・ポート」４２２／ａ、４２２／ｂ、４２２／ｃ、４２２／ｄを有する。この場合、供給・輸送モジュール４２１に対する「サイバー・フィジカル・ポート」４２２／ａはこのモジュールに対する「サイバー・フィジカル・ポート」をシンボル化している。この「サイバー・フィジカル・ポート」４２２／ａに関連して記憶された情報は、この「サイバー・フィジカル・ポート」を介して達成可能なすべての機能性をも有する。これらの達成可能な機能性は、図３では「サイバー・フィジカル・ポート」のそれぞれ正方形のシンボルの横に文字で書かれている。たとえば、「サイバー・フィジカル・ポート」４２２／ａはとりわけこのポートを介して、すなわちこのような接続を介して供給・搬送モジュールに機能性「輸送」および「供給」が達成可能で相応するモジュール４２１で実行可能であるという情報を受ける。ロボット４１２に対する輸送モジュール４２２のポート４２２／ｂを介して、たとえば相応するポート情報４２２／ｂに格納されている機能性「輸送」および「フライス」が使用可能である。この場合、機能性「輸送」はロボット４１２により実行されるのに対し、機能性「フライス」はロボット４１２に接続されたＣＮＣフライス盤４１３で実行される。
【０１６５】
供給・輸送モジュール４２１のポート４２１／ｃを介してこのようにして、たとえば図３に示す生産システム４００のすべての機能性（固有のものを除く）が使用可能であり、すなわち種々のルートで機能性「輸送」、「格納」、「フライス」並びに「印刷」が提供される。
【０１６６】
このようにして、一定のモジュールにある製品においておよび既知の次に必要とされる作業工程において、それぞれ各モジュールのポート情報の分析により必要に応じて製品のさらなる生産のための生産シーケンスを規定することができる。
【０１６７】
接続されたモジュールに関するポートに格納された個々の機能情報の組織化は、たとえば相応する情報・分配工程により達成可能である。たとえば、図１との関連で説明した変化・転送機構を介して各情報は次いで実際に保持することができる。
【０１６８】
図４は、製品に対する生産計画と個々の生産モジュール、たとえばいわゆる「サイバー・フィジカル・生産・モジュール」（ＣＰＰＭ）からの要求を平衡するためのいわゆる「リ−ズナー（推論器）」の機能性を示す。このような「リーズナー」は、本明細書による概念・変換モジュールの一例である。
【０１６９】
図４に示した例では、「サイバー・フィジカル・プロダクション・モジュール」（ＣＰＰＭ）内に製品の生産のための生産指示または生産計画がある。この生産中にはこれにより一定の製品Ｘの輸送のための「高速」の輸送または搬送ベルトが要求される。ＣＰＰＭは、リーズナー５００に対して相応する質問付きの通知５５０を送る。
【０１７０】
概念「高速」の分析のためリーズナー５００は、データベースとしてＮｏＳＱＬフォーマットで記憶されているオントロジー・データベース５７０にアクセスする。オントロジー内では概念「輸送速度」５７２に概念「高速」５７３およびまた概念「中速」５７４が割り当てられる。さらにオントロジー５７０の範囲内では、概念「高速」５７３に速度「０．３ｍ/ｓ」５７５およびさらに「０．４ｍ/ｓ」５７６が割り当てられる。概念「中速」５７４には、「０．２−０．３ｍ/ｓ」の速度が割り当てられる。論理チェーンを介してオントロジー・データベース５７０の評価は、概念「輸送速度」５７２から「高速」５７３におよびそこからさらに「０．３ｍ/ｓ」５７５または「０．４ｍ/ｓ」５７６に導く。
【０１７１】
図の根底にある生産システムは、第１の搬送ベルトＡ６１０並びに第２の搬送ベルトＢ７１０を含み、第１の搬送ベルトＡ６１０は特性データベース６２０を、第２の搬送ベルトＢ７１０は特性データベース７２０を含む。これらの特性データベース６２０、７２０は、本明細書に記載の自己記述情報の一例である。
【０１７２】
第１の分析工程では「リーズナー」５００は搬送ベルトＡ６１０を分析し、搬送ベルトＡ６１０により与えられた最大速度が「高速」に相応することを確認し、その結果として名称「搬送ベルトＡ」を発信する。
【０１７３】
次の分析で搬送ベルトＢ７１０が同様にして分析され、その際オントロジー・データベース５７０からの情報に基づき、搬送ベルトＢ７１０の最大速度が「高速」ではなく、したがって分析が結果なしに終わる。分析の全情報としてリーズナー５００は、次いで回答「搬送ベルトＡ」の回答通知５６０を問い合わせのあったＣＰＰＭに返送する。ＣＰＰＭ内の相応する計画装置は次いでこの情報を利用して、搬送ベルトＡによる相応する輸送工程を計画する。
【０１７４】
図５は既に図３との関連で説明した生産システム４００内での生産計画を確定するためのコーディネーション・アルゴリズム４５０の一例を示す。この場合、生産システム４００の生産モジュール４２１、４１２、４１３、４２２、４２３、４３２、４３１およびその結合は図３の範囲内で説明したものに相応する。
【０１７５】
生産システム４００に対しては製品Ａに対する生産計画４６０があり、そこから一連の加工がまずＣＰＰＭ１（供給・輸送または搬送ベルト）４２１により、次にＣＰＰＭ４（輸送または搬送ベルト）４２２により、さらに続いてＣＰＰＭ６（ロボット）４３２により行われる。本明細書に記載の生産・制御装置または場合によっては生産・計画装置の一例であるコーディネーション・アルゴリズム４５０は次いでまずＣＰＰＭ１に製品Ａの加工用の自由空間について質問し、これから製品Ａの処理が時点ｔで可能であるという回答を得る。コーディネーション・アルゴリズム４５０はこれが生産計画内で可能であることを検知し、ＣＰＰＭ１ ４２１の第２の通信工程で相応するリザーブ通知により時点ｔを製品Ａの加工のためにリザーブする。これは、図５ではコーディネーション・アルゴリズム４５０からＣＰＰＭ１への矢印で示されている。
【０１７６】
ＣＰＰＭ１ ４２１によりこれは固有の時間計画データ４４１において相応して保持され、次の質問に際して時点もしくは時間空間ｔがもはや自由な加工時点もしくは時間空間としては提供できず、ＣＰＰＭ１は相応する質問に際して相応する情報を発信する。ＣＰＰＭ１ ４２１の時間計画データ４４１およびほかの２つの該当モジュールＣＰＰＭ４ ４２２、ＣＰＰＭ６ ４４６の時間計画データ４４４、４４６をより明瞭に示すために、これらのモジュールは図５の下側の左の範囲に再度拡大して示されている。
【０１７７】
続いてコーディネーション・アルゴリズム４５０は、ＣＰＰＭ４ ４２２に製品Ａの加工のためのそこで提供可能な時間空間について質問する。この場合ＣＰＰＭ４は、たとえば種々の可能な時点、とりわけコーディネーション・アルゴリズム４５０により生産計画４６０によって、最適なものとされた時点ｔ＋３を発信する。
【０１７８】
相応する通知（図５では同様に相応する矢印でシンボル化されている）により、次いでＣＰＰＭ４ ４２２は相応してターミネートされ、次いで製品Ａの処理がＣＰＰＭ４ ４２２の時間計画データベース４４４における時点ｔ＋３に固定される。
【０１７９】
この処置に応じて、次いでさらにＣＰＰＭ６ ４３２により製品Ａの加工のための時点ｔ＋８が固定され、ＣＰＰＭ６ ４３２の相応する時間計画データベース４４６において保持される。
【０１８０】
次の工程で製品Ａに対して生産計画４６０においても加工の各時点が、図５に製品Ａに対する生産計画４６０との関連で記入されているように、追加される。このようにして生産計画４６０は新しい生産時間計画４６０に発展させられた。
【符号の説明】
【０１８１】
１００，４００・・・生産システム
１１０，２１０，３１０，４１２，４１３，４２１，４２２，４２３，４３１，４３２，６１０，７１０・・・生産モジュール
１２０，２２０，３２０・・・記憶装置
１３０，１４０，１６０，１７０，２３０，２４０，２６０，２７０，３３０，３４０，３６０，３７０，６２０，７２０・・・自己記述情報
１４０，１４１，１４２，１４３，１４４，１４５，１４６，２４０，３４０・・・サービス情報
１３０，１３１，１３２，１３３，２３０，３３０・・・コンフィギュレーション情報
１４０，１４１，１４２，１４３，１４４，１４５，１４６，２４０，３４０・・・能力情報
１６０，１６１，１６２，２６０，３６０・・・命令情報
１７０，１７１，１７２，２７０，３７０・・・状態情報
１５０，１５１，１５２，１５３，１５４，２５０，３５０・・・ポート情報
４５０・・・生産制御装置
４６０・・・生産計画
５００・・・概念変換モジュール
【図１】
2017535875.tif 000003
【図２】
2017535875.tif 000004
【図３】
2017535875.tif 000005
【図４】
2017535875.tif 000006
【図５】
2017535875.tif 000007
【手続補正書】
【提出日】平成29年6月9日(2017.6.9)
【手続補正１】
【補正対象書類名】特許請求の範囲
【補正対象項目名】全文
【補正方法】変更
【補正の内容】
【特許請求の範囲】
【請求項１】
第２の生産モジュール（１１０，２１０，３１０，４１２，４１３，４２１，４２２，４２３，４３１，４３２，６１０，７１０）に結合するように形成および設定され、第２の生産モジュールが製品に第２の生産動作を実行するために形成および設定された製品に生産動作を実行するための生産モジュール（１１０，２１０，３１０，４１２，４１３，４２１，４２２，４２３，４３１，４３２，６１０，７１０）であって、
記憶装置（１２０，２２０，３２０）に生産モジュールの特性に関する自己記述情報（１３０，１４０，１６０，１７０，２３０，２４０，２６０，２７０，３３０，３４０，３６０，３７０，６２０，７２０）が記憶され、
自己記述情報または自己記述情報の一部を別の装置に伝送するように形成および設定され、および
前記自己記述情報がＮｏＳＱＬデータベースまたは非リレーショナルデータベースとして記憶されるかまたは記憶可能であることを特徴とする生産モジュール。
【請求項２】
前記自己記述情報（１３０，１４０，１６０，１７０，２３０，２４０，２６０，２７０，３３０，３４０，３６０，３７０，６２０，７２０）が、
・生産動作に関するサービス情報（１４０，１４１，１４２，１４３，１４４，１４５，１４６，２４０，３４０）、
・状況および形態の少なくとも一方に関するコンフィギュレーション情報（１３０，１３１，１３２，１３３，２３０，３３０）、
・使用可能な機能およびサービスに関するとともに生産動作に関する情報を有する能力情報（１４０，１４１，１４２，１４３，１４４，１４５，１４６，２４０，３４０）、および
・実行可能な命令および調整可能なパラメータに関する命令情報（１６０，１６１，１６２，２６０，３６０）、および、作業状態に関する状態情報（１７０，１７１，１７２，２７０，３７０）の少なくとも一方
を含むことを特徴とする請求項１記載の生産モジュール。
【請求項３】
結合可能なまたは結合された前記第２の生産モジュールが、前記第２の生産モジュールの特性に関する第２の自己記述情報（１３０，１４０，１６０，１７０，２３０，２４０，２６０，２７０，３３０，３４０，３６０，３７０，６２０，７２０）を含み、および
前記自己記述情報または前記自己記述情報の一部を前記第２の生産モジュールに伝送するように、および前記第２の生産モジュールから第２の自己記述情報または自己記述情報の一部を受領するように形成および設定されている
ことを特徴とする請求項１または２記載の生産モジュール。
【請求項４】
前記自己記述情報が前記第２の生産モジュールとの結合に関するポート情報（１５０，１５１，１５２，１５３，１５４，２５０，３５０）を含むことを特徴とする請求項１から３の１つに記載の生産モジュール。
【請求項５】
前記第２の生産モジュールとの結合に関する前記ポート情報が、前記第２の生産モジュールに直接的にまたは間接的に接続された別の生産モジュール（１１０，２１０，３１０，４１２，４１３，４２１，４２２，４２３，４３１，４３２，６１０，７１０）の特性に関する情報を含むことを特徴とする請求項４記載の生産モジュール。
【請求項６】
被加工製品に所属する製品データ加工装置と通信するようにおよび中間または最終製品の生産に関する生産情報を受領するように形成および設定されていることを特徴とする請求項１から５の１つに記載の生産モジュール。
【請求項７】
モジュール計画情報（４４１，４４４，４４６）を記憶するように形成および設定されていることを特徴とする請求項１から６の１つに記載の生産モジュール。
【請求項８】
前記請求項１から７の１つの記載により互いに結合された複数の生産モジュール（１１０，２１０，３１０，４１２，４１３，４２１，４２２，４２３，４３１，４３２，６１０，７１０）を含み、前記請求項１から７の１つの記載により形成および設定されている、中間または最終製品を生産するための生産システム（１００，４００）。
【請求項９】
複数の生産モジュール（１１０，２１０，３１０，４１２，４１３，４２１，４２２，４２３，４３１，４３２，６１０，７１０）を含み、前記複数の生産モジュールのそれぞれがそれぞれ前記複数の生産モジュールの少なくとも１つの別の生産モジュール（１１０，２１０，３１０，４１２，４１３，４２１，４２２，４２３，４３１，４３２，６１０，７１０）に結合するように形成および設定され、
それぞれ各生産モジュールの記憶装置（１２０，２２０，３２０）に当該生産モジュールの特性に関する自己記述情報（１３０，１４０，１６０，１７０，２３０，２４０，２６０，２７０，３３０，３４０，３６０，３７０，６２０，７２０）が記憶されており、および
各生産モジュールがそれぞれの自己記述情報またはそれぞれの自己記述情報の一部を別の装置に伝送するように形成および設定されている
中間または最終製品を生産するための生産システムにおいて、
前記複数の生産モジュール（１１０，２１０，３１０，４１２，４１３，４２１，４２２，４２３，４３１，４３２，６１０，７１０）の少なくとも個々の生産モジュールが請求項１から７の１つに記載により互いに結合されており、
概念変換モジュール（５００）を含み、この概念変換モジュール（５００）が中間または最終製品の生産に関する生産情報のエレメントおよびこれらの生産モジュールの自己記述情報（１３０，１４０，１６０，１７０，２３０，２４０，２６０，２７０，３３０，３４０，３６０，３７０，６２０，７２０）のエレメントを割り当てるように設定および形成されている
ことを特徴とする中間または最終製品を生産するための生産システム。
【請求項１０】
請求項８または９に記載の生産システムを備え中間または最終製品の生産を計画するための生産計画装置であって、生産情報を記憶するように設計および形成されており、この生産情報が中間または最終製品の生産に必要な生産工程を含む生産計画装置において、
前記生産システムの複数の生産モジュール（１１０，２１０，３１０，４１２，４１３，４２１，４２２，４２３，４３１，４３２，６１０，７１０）の選択の自己記述情報（１３０，１４０，１６０，１７０，２３０，２４０，２６０，２７０，３３０，３４０，３６０，３７０，６２０，７２０）の少なくとも一部を受領および記憶の少なくとも一方をするように形成および設定されており、
被加工製品の生産計画（４６０）を確定するように設定および形成され、前記生産計画（４６０）が、中間または最終製品の生産のために製品が走行すべきまたは走行する生産システムの複数の生産モジュールの順序に関する情報を含む
ことを特徴とする生産計画装置。
【請求項１１】
さらに概念変換モジュール（５００）へのアクセスを有し、前記概念変換モジュールが中間または最終製品の生産に関する生産情報のエレメントおよび複数の生産モジュールの自己記述情報のエレメントを割り当てるように設定および形成されていることを特徴とする請求項１０記載の生産計画装置。
【請求項１２】
前記概念変換モジュール（５００）が、中間または最終製品の生産に関する生産情報のエレメントおよび複数の生産モジュールの自己記述情報のエレメントを含むデータベース（５７０）を含み、これらのエレメントがそれぞれ関連する情報および別のエレメントに関連する情報の少なくとも一方を有することを特徴とする請求項１１記載の生産計画装置。
【請求項１３】
請求項８または９に記載の生産システムで中間または最終製品の生産を設定および制御の少なくとも一方をするための生産制御装置（４５０）であって、被加工製品に対する生産計画（４６０）を記憶するように形成および設定されており、前記生産計画（４６０）が、中間または最終製品の生産のために製品が走行すべきまたは走行する生産システムの複数の生産モジュールの順序に関する情報を有している生産制御装置において、
複数の生産モジュールの順序の生産モジュール（１１０，２１０，３１０，４１２，４１３，４２１，４２２，４２３，４３１，４３２，６１０，７１０）の少なくとも１つの選択と通信するように形成および設定されており、さらに複数の生産モジュールによる製品の加工もしくは製品モジュールの選択が行われる前記生産計画（４６０）を確定するように形成および設定されていることを特徴とする生産制御装置。
【請求項１４】
請求項１０から１２の１つに記載の生産計画装置および請求項１３に記載の生産制御装置（４５０）の少なくとも一方を含むことを特徴とする請求項１から７の１つに記載の生産モジュール。
【請求項１５】
請求項１０から１２の１つに記載の生産計画装置の少なくとも１つおよび請求項１３に記載の生産制御装置（４５０）の少なくとも１つの少なくとも一方を含むことを特徴とする請求項８または９記載の生産システム。
【請求項１６】
・中間または最終製品を生産するために必要な生産工程を含む生産情報が存在し、
・中間または最終製品の生産の計画のための生産計画装置が設けられ、および
・生産計画装置が生産システム（１００，４００）の複数の生産モジュール（１１０，２１０，３１０，４１２，４１３，４２１，４２２，４２３，４３１，４３２，６１０，７１０）の自己記述情報（１３０，１４０，１６０，１７０，２３０，２４０，２６０，２７０，３３０，３４０，３６０，３７０，６２０，７２０）へのアクセスを有する請求項８、９または１５の１つに記載の生産システム（１００，４００）による中間または最終製品の生産の計画方法において、
・中間または最終製品の生産に関する生産情報を前記生産計画装置に伝送する工程、
・前記生産システムの複数の生産モジュールの選択の自己記述情報の少なくとも一部を前記生産計画装置に伝送する工程、
・被加工製品のための生産計画（４６０）を確定する工程であって、この生産計画が、製品が中間または最終製品の生産のために走行すべきまたは走行する前記生産システムの生産モジュールの順序に関する情報を含む工程、
を含むことを特徴とする計画方法。
【請求項１７】
さらに前記生産計画（４６０）の確定中にまたは確定に続いて、複数の生産モジュールによる製品の加工もしくは生産モジュールの選択が行われる時間的経過が確定されることを特徴とする請求項１６記載の方法。
【請求項１８】
確定された前記生産計画（４６０）がさらに各生産モジュールにおいてそれぞれ実行すべき１つまたは複数の生産動作に関する情報を含むことを特徴とする請求項１６または１７記載の方法。
【請求項１９】
前記生産計画システムが前記生産計画（４６０）の確定前または確定中に請求項１１または１２記載の概念変換モジュール（５００）にアクセスすることを特徴とする請求項１６から１８の１つに記載の方法。
【国際調査報告】
2017535875.tif 000008
2017535875.tif 000009
2017535875.tif 000010
2017535875.tif 000011
2017535875.tif 000012
2017535875.tif 000013